(57)【要約】      （修正有）【課題】加熱手段や送風機で送風する風路および外槽などから逃げる熱量を低減させることにより乾燥効率を向上させて消費電力量を低減するとともに、低騒音の洗濯乾燥機を提供する。【解決手段】洗濯兼脱水槽５と、洗濯兼脱水槽５を内包する外槽３と、洗濯兼脱水槽５内の洗濯物に機械力を与えるアクチュエータ６と、洗濯兼脱水槽５内に空気を送る送風機１８および送風機１８で送風する風路１４，熱源２０および空気を冷却除湿する熱交換部を備えた除湿機構１３と、外槽３に設けられ洗濯物を出し入れする内蓋４と、外槽３と除湿機構１３を囲む外枠１と、外枠１に設けられ洗濯物を出し入れする外蓋２を備えた洗濯乾燥機において、外枠１と外蓋２の接触部にラビリンスシール構造２２を備える。【選択図】図１
2007330569.tif 000002
【特許請求の範囲】
【請求項１】
洗濯兼脱水槽と、前記洗濯兼脱水槽を内包する外槽と、前記洗濯兼脱水槽内の洗濯物に機械力を与えるアクチュエータと、前記洗濯兼脱水槽内に空気を送る送風機および前記送風機で送風する風路および前記風路内に空気を加熱する熱源および前記洗濯物から排出された高温多湿の空気を冷却除湿する熱交換部を備えた除湿機構と、前記外槽に設けられ洗濯物を出し入れする内蓋と、前記外槽と前記除湿機構を囲む外枠と、前記外枠に設けられ前記洗濯物を出し入れする外蓋を備えた洗濯乾燥機において、
前記外枠と外蓋の接触部にラビリンスシール構造を備えたことを特徴とする洗濯乾燥機。
【請求項２】
請求項１に記載の洗濯乾燥機において、前記外枠と外蓋の接触部にパッキンあるいはシール構造を備えたことを特徴とする洗濯乾燥機。
【請求項３】
請求項１に記載の洗濯乾燥機において、前記空気を加熱する熱源あるいは前記送風する風路あるいは前記外槽の周りにあるいは前記空気を加熱する熱源と前記送風する風路と前記外槽の周りにカバーを備えたことを特徴とする洗濯乾燥機。
【請求項４】
請求項１に記載の洗濯乾燥機において、前記空気を加熱する熱源あるいは前記送風する風路あるいは前記外槽の周りにあるいは前記空気を加熱する熱源と前記送風する風路と前記外槽の周りに断熱材を備えたことを特徴とする洗濯乾燥機。
【請求項５】
請求項１に記載の洗濯乾燥機において、前記外枠あるいは前記外枠に前記洗濯物を出し入れする外蓋あるいは前記外枠と前記外枠に前記洗濯物を出し入れする外蓋の内側に断熱材を備えたことを特徴とする洗濯乾燥機。
【請求項６】
洗濯兼脱水槽と、前記洗濯兼脱水槽を内包する外槽と、前記洗濯兼脱水槽内の洗濯物に機械力を与えるアクチュエータと、前記洗濯兼脱水槽内に空気を送る送風機および前記送風機で送風する風路および前記風路内に空気を加熱する熱源および前記洗濯物から排出された高温多湿の空気を冷却除湿する熱交換部を備えた除湿機構と、前記外槽と前記除湿機構を囲む外枠と、前記外枠に前記洗濯物を出し入れする外蓋を備えた洗濯乾燥機において、
前記空気を加熱する熱源あるいは前記送風する風路あるいは前記外槽の周りにあるいは前記空気を加熱する熱源と前記送風する風路と前記外槽の周りにカバーを備えたことを特徴とする洗濯乾燥機。
【請求項７】
請求項６に記載の洗濯乾燥機において、前記空気を加熱する熱源あるいは前記送風する風路あるいは前記外槽の周りにあるいは前記空気を加熱する熱源と前記送風する風路と前記外槽の周りに断熱材を備えたことを特徴とする洗濯乾燥機。
【請求項８】
請求項６に記載の洗濯乾燥機において、前記外枠あるいは前記外枠に前記洗濯物を出し入れする外蓋あるいは前記外枠と前記外枠に前記洗濯物を出し入れする外蓋の内側に断熱材を備えたことを特徴とする洗濯乾燥機。
【発明の詳細な説明】
【技術分野】
【０００１】
本発明は、熱交換器を有する乾燥装置を備えて、洗濯，脱水及び乾燥を行う洗濯乾燥機に関する。
【背景技術】
【０００２】
洗濯，脱水および乾燥を行う洗濯乾燥機は、例えば、特許文献１に記載されているように、外槽の底部には排出口を設け、前記排出口と送風手段の上流側を循環風胴で連通している。洗濯兼脱水槽から排出された乾燥空気の一部は排出口，循環風胴，送風手段，加熱手段，吹き出し部，洗濯兼脱水槽を循環する構成になっている。循環風胴には乾燥用空気を除湿するための冷却水を供給する冷却水供給口が設けられている。洗濯物と接触し多湿になった乾燥用空気は冷却水、及び冷却水で冷却された循環風胴の壁面と接触して除湿される。なお、筐体の上部には蓋，外槽の下部には排水弁，排水口が設けられている。
【０００３】
【特許文献１】特開２００５−２４５８１０号公報（第１１頁，図１）
【発明の開示】
【発明が解決しようとする課題】
【０００４】
省エネの点から乾燥時の消費電力量を低減するためには乾燥効率を向上させる必要がある。乾燥効率の向上には洗濯物からの水の蒸発性能や除湿性能の向上、加熱手段からの熱を効率よく用いることが考えられる。従来技術の構成では加熱手段及び周辺は断熱構造になっていないため、温度が一番高い加熱手段からの熱の逃げる量が多く、加熱手段によって入力された熱量の内３０〜４０％が外気に逃げると推定される。また、筐体上部の蓋の密閉度が悪いと送風手段の運転音が洗濯乾燥機の外部に漏れ騒音の問題となる。
【０００５】
本発明の目的は、加熱手段や送風機で送風する風路および外槽などから逃げる熱量を低減させることにより乾燥効率を向上させて消費電力量を低減する洗濯乾燥機を提供することにある。本発明の他の目的は、更に、低騒音の洗濯乾燥機を提供することにある。
【課題を解決するための手段】
【０００６】
上記目的を達成するために、本発明の洗濯乾燥機は、以下の構成を有する。
【０００７】
洗濯兼脱水槽を内包する外槽と、洗濯兼脱水槽内に空気を送る送風機および送風機で送風する風路および風路内に空気を加熱する熱源および洗濯物から排出された高温多湿の空気を冷却除湿する熱交換部を備えた除湿機構と、外槽にもうけられ洗濯物を出し入れする内蓋と、外槽と除湿機構を囲む外枠と、外枠に洗濯物を出し入れする外蓋を備えた洗濯乾燥機において、外枠と外蓋の接触部にラビリンス構造を備えたことを特徴とする。
【０００８】
また、外枠と外蓋の接触部にパッキンあるいはシール構造を備えると良い。
【０００９】
また、空気を加熱する熱源あるいは送風する風路あるいは外槽の周りにあるいは空気を加熱する熱源と送風する風路と外槽の周りにカバーを備えると良い。
【００１０】
また、空気を加熱する熱源あるいは送風する風路あるいは外槽の周りにあるいは空気を加熱する熱源と送風する風路と外槽の周りに断熱材を備えると良い。
【００１１】
また、外枠あるいは外枠に洗濯物を出し入れする外蓋あるいは外枠と外枠に洗濯物を出し入れする外蓋の内側に断熱材を備えると良い。
【００１２】
また、洗濯兼脱水槽を内包する外槽と、洗濯兼脱水槽内に空気を送る送風機および送風機で送風する風路および風路内に空気を加熱する熱源および洗濯物から排出された高温多湿の空気を冷却除湿する熱交換部を備えた除湿機構と、外槽と除湿機構を囲む外枠と、外枠に洗濯物を出し入れする外蓋を備えた洗濯乾燥機において、空気を加熱する熱源あるいは送風する風路あるいは外槽の周りにあるいは空気を加熱する熱源と送風する風路と外槽の周りにカバーを備えたことを特徴とする。
【００１３】
また、空気を加熱する熱源あるいは送風する風路あるいは外槽の周りにあるいは空気を加熱する熱源と送風する風路と外槽の周りに断熱材を備えると良い。
【００１４】
また、外枠あるいは外枠に洗濯物を出し入れする外蓋あるいは外枠と外枠に洗濯物を出し入れする外蓋の内側に断熱材を備えると良い。
【発明の効果】
【００１５】
本発明によれば、加熱手段や送風機で送風する風路および外槽などから逃げる熱量を低減させることにより乾燥効率を向上させて消費電力量を低減する洗濯乾燥機を提供することができる。更に、低騒音の洗濯乾燥機を提供することができる。
【発明を実施するための最良の形態】
【００１６】
以下、本発明の実施例を図面により説明する。
【実施例１】
【００１７】
図１は、本発明の第１の実施の形態における洗濯乾燥機の構成を示す模式図である。この洗濯乾燥機は、衣類投入口１ａを外蓋２によって開閉可能に覆った外枠１内に、上端開口３ａを内蓋４で開閉可能に覆った外槽３を防振状態に懸垂して支持（図示せず）している。外槽３内には、洗濯物を入れる洗濯兼脱水槽５を回転可能に支持し、洗濯兼脱水槽５内の底部には洗濯物を撹拌する撹拌翼６を回転可能に支持する。洗濯兼脱水槽５は、側壁に遠心脱水および通風用の多数の小孔（図示せず）を有する。外槽３の底壁の外側に取り付けた電動駆動装置７は、前記洗濯兼脱水槽５および撹拌翼６を回転駆動する。また、外槽３の底壁に開口した排水口３ｂは、排水電磁弁８を介して排水ホース９に接続する。洗濯兼脱水槽５内の洗濯物を乾燥させる乾燥装置１０は、外槽３内の空気を該外槽３の排水口３ｂから吸い出して水冷除湿し、次いで加熱した後に吹込みノズル１１から洗濯兼脱水槽５の内に吹き込むことにより循環空気１２を生成して洗濯物を乾燥させる。
【００１８】
このように構成した洗濯乾燥機は、洗濯工程においては、洗濯兼脱水槽５内に洗濯物を投入し、排水電磁弁８を閉じた状態で給水して外槽３に洗濯水を溜め、撹拌翼６を回転させて洗濯物を洗濯する。また、脱水工程においては、排水電磁弁８を開いて外槽３内の洗濯水を排水し、洗濯兼脱水槽５を回転させて遠心脱水する。そして、乾燥工程では、排水電磁弁８を開いた状態で洗濯兼脱水槽５および／または撹拌翼６を回転させると共に、送風機１８を運転して外槽３内の空気を排水口３ｂから吸い出して水冷除湿ダクト１４内を通過させて水冷除湿した後にヒータ１９で加熱して吹込みノズル１１から洗濯兼脱水槽５内の洗濯物に向けて吹込む循環空気１２を生成する。洗濯兼脱水槽５内で洗濯物から水分を奪って湿潤した循環空気１２の水冷除湿は、冷却水供給管１６から水冷除湿ダクト１４内の略中央に設置された金属製の熱交換板２７の壁面に流れ出た冷却水１５を該壁面を伝わせて且つ突条１７によって水平方向にジグザグ状態（図示せず）に案内して該壁面の広い範囲に広げて流下させ、循環空気１２と触れさせることにより実現する。
【００１９】
衣類投入口１ａを開閉可能に覆う外蓋２と外枠１の接触部はラビリンスシール２２構造になっている。ラビリンスシール２２構造は、ヒータ１９から発生した熱の一部がヒータケース２０やベローズ２１および内蓋４や外槽３の表面から逃げて空気に伝わり外蓋２と外枠１の隙間から空気の対流によって洗濯乾燥機の外部へ逃げることを防いでいる。
【００２０】
このように構成した洗濯乾燥機は、ヒータ１９から発生した熱の一部が洗濯乾燥機の外部へ逃げることを低減することよって洗濯物からの蒸発が促進され乾燥効率が向上し、消費電力量を低減することが出来る。
【００２１】
また、外蓋２と外枠１の接触部をラビリンスシール２２構造にすることにより外枠１の周囲から漏れる送風機１８や循環空気１２が流れることにより発生する音の量が低減でき、運転音を下げることが出来る。
【実施例２】
【００２２】
次に本発明の第２の実施例を図２を参照して説明する。図２は第１の実施例の図１同様、洗濯乾燥機の構成を示す模式図である。第１の実施の形態と共通する構成については、重複する説明を省略する。
【００２３】
第１の実施例と異なる点は、外蓋２と外枠１の接触部をパッキン２３構造にして密閉したことである。このように構成した洗濯乾燥機は、第１の実施例同様、ヒータ１９から発生した熱の一部が洗濯乾燥機の外部へ逃げることを低減することよって洗濯物からの蒸発が促進され乾燥効率が向上し、消費電力量を低減することが出来る。
【００２４】
また、外蓋２と外枠１の接触部をパッキン２３構造にすることにより外枠１の周囲から漏れる送風機１８や循環空気１２が流れることにより発生する音の量が低減でき、運転音を下げることが出来る。
【実施例３】
【００２５】
次に本発明の第３の実施例を図３を参照して説明する。図３は第１の実施例と同様、洗濯乾燥機の構成を示す模式図である。第１の実施の形態と共通する構成については、重複する説明を省略する。
【００２６】
第１の実施例と異なる点は、外蓋２と外枠１の接触部をパッキン２３構造にして密閉し、さらに、ヒータケース２０の外側に空気層を形成する断熱カバー２４と外槽３の外周部に空気層を形成する断熱カバー２５を取り付けたことである。このように構成した洗濯乾燥機は、第１の実施例と同様の効果が得られ、さらに、ヒータ１９と外槽３外周からの熱の逃げを低減することよってさらに洗濯物からの蒸発が促進され乾燥効率が向上し、さらに消費電力量を低減することが出来る。
【実施例４】
【００２７】
次に本発明の第４の実施例を図４を参照して説明する。図４は第１の実施例と同様、洗濯乾燥機の構成を示す模式図である。第１の実施の形態と共通する構成については、重複する説明を省略する。
【００２８】
第１の実施例と異なる点は、外蓋２と外枠１の接触部をパッキン２３構造にして密閉し、さらに、ヒータケース２０の外側と外槽３の外周部に断熱材２６を取り付けたことである。このように構成した洗濯乾燥機は、第１の実施例と同様の効果が得られ、さらに、ヒータ１９と外槽３外周からの熱の逃げを低減することよってさらに洗濯物からの蒸発が促進され乾燥効率が向上し、さらに消費電力量を低減することが出来る。
【００２９】
また、外蓋２と外枠１の接触部をパッキン２３構造にすることにより外枠１の周囲から漏れる送風機１８や循環空気１２が流れることにより発生する音の量が低減できるとともに、さらに、ヒータケース２０と外槽３の外周からの音の漏れを低減出来、さらに運転音を下げることが出来る。
【実施例５】
【００３０】
次に本発明の第５の実施例を図５を参照して説明する。図５は第１の実施例と同様、洗濯乾燥機の構成を示す模式図である。第１の実施の形態と共通する構成については、重複する説明を省略する。
【００３１】
第１の実施例と異なる点は、外蓋２と外枠１の接触部をパッキン２３構造にして密閉し、さらに、外蓋２と外枠１の内側に断熱材２６を取り付けたことである。このように構成した洗濯乾燥機は、第１の実施例と同様の効果が得られ、さらに、ヒータ１９から発生した熱の一部がヒータケース２０やベローズ２１および内蓋４や外槽３の表面から空気に伝わって洗濯乾燥機の外部へ逃げる量を低減出来、さらに洗濯物からの蒸発が促進され乾燥効率が向上し、さらに消費電力量を低減することが出来る。
【００３２】
また、外蓋２と外枠１の接触部をパッキン２３構造にすることにより外枠１の周囲から漏れる送風機１８や循環空気１２が流れることにより発生する音の量が低減できるとともに、さらに、ヒータケース２０やベローズ２１および内蓋４や外槽３の外周からの音の漏れを低減出来、さらに運転音を下げることが出来る。
【図面の簡単な説明】
【００３３】
【図１】本発明の第１の実施の形態における洗濯乾燥機の構成を示す模式図。
【図２】本発明の第２の実施の形態における洗濯乾燥機の構成を示す模式図。
【図３】本発明の第３の実施の形態における洗濯乾燥機の構成を示す模式図。
【図４】本発明の第４の実施の形態における洗濯乾燥機の構成を示す模式図。
【図５】本発明の第５の実施の形態における洗濯乾燥機の構成を示す模式図。
【符号の説明】
【００３４】
１…外枠、１ａ…衣類投入口、２…外蓋、３…外槽、３ｂ…排水口、５…洗濯兼脱水槽、６…撹拌翼、７…電動駆動装置、８…排水電磁弁、９…排水ホース、１０…乾燥装置、１１…吹込みノズル、１２…循環空気、１３…水冷式除湿器、１４…水冷除湿ダクト、
１５…冷却水、１６…冷却水供給管、１７…突条、１８…送風機、１９…ヒータ、２０…ヒータケース、２１…ベローズ、２２…ラビリンスシール、２３…パッキン、２４，２５…断熱カバー、２６…断熱材、２７…熱交換板。
【図１】
2007330569.tif 000003
【図２】
2007330569.tif 000004
【図３】
2007330569.tif 000005
【図４】
2007330569.tif 000006
【図５】
2007330569.tif 000007